(57)【要約】【課題】撮影上適切な被験者の体の位置を容易に把握でき、また、体との接触面における違和感を軽減できるＸ線撮影装置を提供する。【解決手段】撮像部１２１の撮像面１３を覆うクッション部材１２２の面１４の中央部が、左右の縁部に比べて内側へ凹む方向に湾曲しており、この湾曲した中央部が撮像面１３の中央部と対応する位置に設けられている。従って、面１４の左右の縁に被験者の左右の肩を当接させるとともにその湾曲した中央部に被験者の胸部の中央を当接させるようにすることで、被験者の胸部の中央と撮像面１３の中央部とを容易に合わせることができる。。【選択図】  図２
2012242756.tif 000002
【特許請求の範囲】
【請求項１】
被験者の体を透過したＸ線が入射する撮像面を備え、前記撮像面に入射したＸ線の画像を撮像する撮像部と、
前記撮像面を覆う弾力性を持ったクッション部材と、
を有し、
前記クッション部材は、左右の縁部に比べて中央部が内側へ凹む方向若しくは外側へ突出する方向に湾曲した第１の面を備え、
前記被験者の左右の肩が前記左右の縁部に当接され、前記被験者の胸部の中央が前記中央部に当接される、
Ｘ線撮影装置。
【請求項２】
前記第１の面の湾曲した前記中央部が、前記撮像面の中央部と対応する位置に設けられている、
請求項１に記載のＸ線撮影装置。
【請求項３】
前記クッション部材は、前記第１の面の上辺に沿って前記第１の面と垂直に形成された第２の面を備え、
前記第１の面の中央部に対応する前記第２の面の中央部には、内側へ凹んだ湾曲部が設けられており、
前記被験者の顎部が前記第２の面の前記湾曲部に当接される、
請求項２に記載のＸ線撮影装置。
【請求項４】
前記クッション部材は、前記第１の面の内側に弾力性を持った材料が充填されている、若しくは、気体が充填されている、
請求項２又は３に記載のＸ線撮影装置。
【発明の詳細な説明】
【技術分野】
【０００１】
本発明は、Ｘ線発生源から照射されて被検者の体を透過したＸ線の画像を撮像するＸ線撮影装置に関するものである。
【背景技術】
【０００２】
人体を透過するＸ線を撮影することによって体内の臓器や骨格等を簡易に画像化できるＸ線撮影装置は、医療分野において古くから用いられており、撮影する部位や用途に応じた様々な形態のものが実用化されている（特許文献１参照）。
【先行技術文献】
【特許文献】
【０００３】
【特許文献１】特開平１０−１２７６２４号公報
【発明の概要】
【発明が解決しようとする課題】
【０００４】
立位姿勢で胸部を撮影するＸ線撮影装置は、一般に、Ｘ線撮像体を内包する板状のカセッテが収容されたホルダを支柱に沿って上下へ移動可能に保持した構造となっている。撮影を行う場合は、カセッテのホルダを被験者の胸部の高さに合わせて固定し、ホルダの平らな面に被験者の胸部を密着させた状態で、被験者の背面からＸ線が照射される。
【０００５】
ところが、従来のＸ線撮影装置では、被験者の胸部を接触させる面が平らであるため、被験者がどの位置に胸部を当てれば適切に撮影を行えるのかを把握し難いという問題があった。また、この接触面が弾力性のない硬い材料で形成されているため、胸部等の骨が当たるなどして被験者に違和感を与えるという問題もあった。
【０００６】
本発明はかかる事情に鑑みてなされたものであり、その目的は、撮影上適切な被験者の体の位置を容易に把握でき、また、体との接触面における違和感を軽減できるＸ線撮影装置を提供することにある。
【課題を解決するための手段】
【０００７】
上述した従来技術の問題点を解決し、上述した目的を達成するために、本発明のＸ線撮影装置は、被験者の体を透過したＸ線が入射する撮像面を備え、前記撮像面に入射したＸ線の画像を撮像する撮像部と、前記撮像面を覆う弾力性を持ったクッション部材とを有し、前記クッション部材は、左右の縁部に比べて中央部が内側へ凹む方向若しくは外側へ突出する方向に湾曲した第１の面を備え、前記被験者の左右の肩が前記左右の縁部に当接され、前記被験者の胸部の中央が前記中央部に当接される。
【０００８】
好適に、前記第１の面の湾曲した前記中央部が、前記撮像面の中央部と対応する位置に設けられている。
【０００９】
好適に、前記クッション部材は、前記第１の面の上辺に沿って前記第１の面と垂直に形成された第２の面を備え、前記第１の面の中央部に対応する前記第２の面の中央部には、内側へ凹んだ湾曲部が設けられており、前記被験者の顎部が前記第２の面の前記湾曲部に当接される。
【００１０】
好適に、前記クッション部材は、前記第１の面の内側に弾力性を持った材料が充填されている、若しくは、気体が充填されている。
【発明の効果】
【００１１】
本発明によれば、撮像部の撮像面を覆う弾力性を持ったクッション部材に湾曲した面が設けられており、その湾曲面の左右の縁に被験者の左右の肩を当接させるとともに湾曲面の中央部に被験者の胸部を当接させるように構成されているため、被験者の体を撮影上適切な位置に容易に配置させることができる。また、体との接触面が弾力性を持ったクッション部材で覆われているため、違和感を効果的に軽減できる。
【図面の簡単な説明】
【００１２】
【図１】図１は、本発明の実施形態に係るＸ線撮影装置の構成の一例を示す図である。
【図２】図２は、Ｘ線検出部の構成の一例を示す図である。
【図３】図３は、Ｘ線検出部の他の構成例を示す図であり、Ｘ線検出部を上側から見た図である。
【発明を実施するための形態】
【００１３】
以下、本発明の実施形態として、立位姿勢の被験者の胸部等にＸ線を照射してその画像を撮影するＸ線撮影装置について説明する。
図１は、本発明の実施形態に係るＸ線撮影装置１の構成の一例を示す図である。図１に示すＸ線撮影装置１は、Ｘ線発生部１１と、Ｘ線検出部１２を有する。
【００１４】
［Ｘ線発生部１１］
図１の例において、Ｘ線発生部１１は、Ｘ線撮影室の天井から支柱１３０によって吊り下げられている。支柱１３０は伸縮自在に構成されており、後述する操作パネル２７の操作に応じて不図示のアクチュエータが作動することにより伸縮する。また、支柱１３０の末端部は、天井に敷設された不図示のレールに連結されており、図の左右方向やその垂直方向へ移動可能である。
【００１５】
図１に示すＸ線発生部１１は、円柱状のＸ線管２１と、このＸ線管２１に接続された箱状のＸ線絞り器２３と、操作部パネル２７と、操作ハンドル２９を有する。
【００１６】
Ｘ線管２１は、陰極のフィラメントと陽極のターゲットを有する。フィラメントとターゲットの間に高電圧が印加されることにより、フィラメントから放出された電子がターゲットに衝突して、Ｘ線が発生する。
Ｘ線絞り器２３は、Ｘ線を遮蔽する複数の鉛板製の絞り羽根を有する。各絞り羽根を変位させることで、Ｘ線管２１が発生したＸ線の照射範囲を限定する。
【００１７】
操作パネル２７は、複数の操作ボタン及び表示部を備えたており、Ｘ線撮影装置１の操作に用いられる。
操作ハンドル２９は、Ｘ線発生部１１を手動で移動させる際に用いられる。
【００１８】
［Ｘ線検出部１２］
Ｘ線検出部１２はＸ線発生部１１から照射されるＸ線を検出する装置であり、Ｘ線撮影室の床面に立てられた支柱１４０に取り付けられている。支柱１４０は、Ｘ線検出部１２を保持しながら上下方向へ移動させる可動機構を備える。
【００１９】
Ｘ線検出部１２は、Ｘ線画像を撮像する撮像部１２１と、その撮像部１２１を覆うクッション部材１２２を有する。
【００２０】
撮像部１２１は、被験者の体を透過したＸ線が入射する撮像面を備えており、撮像面に入射するＸ線の強度に応じた２次元の画像を撮像する。撮像部１２１は、具体的には、２次元的なＸ線の強度を検出する撮像デバイスと、この撮像デバイスを収容するホルダを含む。ホルダは、支柱１４０の可動機構に固定され、撮像デバイスを収容した状態で上下方向に移動可能となっている。
撮像デバイスは、例えば、ＦＰＤ（フラットパネルディテクタ）を用いて構成される。ＦＰＤは、画素毎に構成された複数のＴＦＴ（薄膜トランジスタ）がマトリックス状に配列されたアクティブマトリックス基板上に、アモルファスシリコン（ａ−Ｓｉ）やアモルファスセレン（ａ−Ｓｅ）などの光電変換層が形成された検出器である。ＦＰＤは、各画素に蓄積された電荷をＴＦＴによって読み出すことにより、Ｘ線の２次元的な強度に応じた画像の情報を出力する。この撮像デバイスには、上述したＦＰＤの他、画像記録媒体として輝尽性蛍光体を利用したＩＰ（イメージングプレート）や、Ｘ線感光フイルム等を用いてもよい。
【００２１】
クッション部材１２２は、撮像部１２１の撮像面を覆うカバーであり、例えばゴムやウレタンフォーム、スポンジなどの弾力性を持った材料を用いて構成される。具体的には、クッション部材１２２の表面は、例えばビニールや布などの柔軟性のあるシート材で形成され、その内部に弾力性のある材料が充填される。
【００２２】
図２は、Ｘ線検出部１２の構成の一例を示す図である。図２（Ａ）はＸ線検出部１２を上側から見た図であり、図２（Ｂ）はＸ線検出部１２を撮像部１２１の撮像面１３に対して垂直な方向から見た図である。
【００２３】
図２（Ａ）に示すように、クッション部材１２２は、左右の縁部に比べて中央部が内側へ凹む方向（撮像面１３と垂直な方向）に湾曲した面１４（第１の面）を備える。クッション部材１２２の面１４の湾曲した中央部は、撮像部１２１の撮像面１３の中央部と対応する位置に設けられている。従って、被験者の撮影部位（例えば胸部）の中央を面１４の湾曲した中央部に合わせることにより、撮影部位の中央を撮像面１３の中央部に合わせることができる。
【００２４】
また、図２（Ｂ）に示すように、クッション部材１２２は、面１４の上辺に沿って面１４と垂直に形成された面１５（第２の面）を備える。面１４の湾曲した中央部に対応する面１５の中央部には、内側へ凹んだ湾曲部１６が設けられている。この湾曲部１６には、被験者の顎部を置くことができる。
【００２５】
上述したＸ線撮影装置１によって胸部撮影を行う場合は、まず、被験者の顎部がクッション部材１２２の湾曲部１６と無理なく当接するように、Ｘ線検出部１２を支柱１４０に沿って上下にスライドさせて、Ｘ線検出部１２の床面からの高さを調節する。また、Ｘ線絞り器２３から照射されるＸ線が撮像部１２１の撮像面１３へ適切に照射されるように、支柱１３０を伸縮させてＸ線発生部１１の床面からの高さを調節する。
次いで、被験者の顎部をクッション部材１２２の湾曲部１６に当接させ、被験者の左右の肩を面１４の左右の縁に当接させるとともに、被験者の胸部の中央を面１４の湾曲した中央部に当接させて、胸部全体を面１４にぴったりと密着させる。
この状態で、Ｘ線発生部１１から所定強度のＸ線を放出させ、被験者の胸部を透過したＸ線の画像をＸ線検出部１２の撮像部１２１において撮像する。
【００２６】
このように、本実施形態に係るＸ線撮影装置１によれば、撮像部１２１の撮像面１３を覆うクッション部材１２２の面１４の中央部が、左右の縁部に比べて内側へ凹む方向に湾曲しており、この湾曲した中央部が撮像面１３の中央部と対応する位置に設けられている。従って、面１４の左右の縁に被験者の左右の肩を当接させるとともにその湾曲した中央部に被験者の胸部の中央を当接させるようにすることで、被験者の胸部の中央と撮像面１３の中央部とを容易に合わせることができる。すなわち、被験者の胸部を撮影上適切な位置に容易に配置させることができる。
【００２７】
また、本実施形態に係るＸ線撮影装置１によれば、被験者の体と当接する面１４，１５が弾力性のあるクッション部材１２２によって覆われているため、撮影部位の骨等が当たることによる違和感を効果的に軽減できる。
【００２８】
なお、本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２９】
例えば、図２の例では、撮像面１３を覆う面１４の中央部が内側に凹む方向に湾曲しているが、本発明はこれに限定されない。本発明の他の実施形態では、例えば図３において示すように、面１４の中央部が外側へ突出する方向に湾曲していてもよい。撮影を行う場合は、面１４の左右の縁部に被験者の左右の肩が当接するまで、胸部の中央を面１４の中央部へ押し付けるようにする。この場合も、湾曲した面１４の中央部を被験者の胸部の中央に合わせることによって、被験者の胸部を撮影上適切な位置に容易に配置させることができる。
【００３０】
また、上述した実施形態では、クッション部材１２２の内部に弾力性のある材料を充填する例を挙げているが、本発明の他の実施形態では、弾力性のある材料の代わりに空気などの気体を充填してもよい。この場合、クッション部材１２２の外面をビニール等の伸縮性のあるシート材で形成することによって、クッション部材１２２の弾力性を実現することができる。
【産業上の利用可能性】
【００３１】
本発明は、人若しくは他の生物の体を透過したＸ線の画像を撮影するＸ線撮影装置に適用可能である。
【符号の説明】
【００３２】
１１…Ｘ線発生部、１２…Ｘ線検出部、１２１…撮像部、１２２…クッション部材、１３…撮像面、１４…第１の面，１５…第２の面、１６…湾曲部、２１…Ｘ線管、２３…Ｘ線絞り器、２７…操作パネル、２９…操作ハンドル、１３０、１４０…支柱
【図１】
2012242756.tif 000003
【図２】
2012242756.tif 000004
【図３】
2012242756.tif 000005